(57)【要約】      （修正有）【課題】加熱手段の数を増加せずに、装置自体の構成で加熱効率を高めることができる空気加熱装置を提供する。【解決手段】空気の入り口３３と出口とを有するケース３と、前記ケース内に取付けられている加熱手段と、前記ケース内にその反射面６１が前記出口に面するように配置されていて前記加熱手段からの熱放射を前記出口へ反射させる反射手段６とにより加熱装置を構成する。【選択図】図３
0003147981.tif 000002
【実用新案登録請求の範囲】
【請求項１】
空気の入り口と出口とを有するケースと、
前記ケース内に取付けられている加熱手段と、
前記ケース内にその反射面が前記出口に面するように配置されていて前記加熱手段からの熱放射を前記出口へ反射させる反射手段と、
を備えていることを特徴とする空気加熱装置。
【請求項２】
空気を加熱してから、デシカントロータの水分を吸着した部分に送風することにより、その吸着水分を蒸発させて前記デシカントロータの水分を吸着した部分を再生させる、デシカント除湿機の再生システムにおける空気加熱装置であって、
空気の入り口と出口とを有するケースと、
該ケース内に取付けられている加熱手段と、
前記ケース内にその反射面が前記出口に面するように配置されていて前記加熱手段からの熱放射を前記出口へ反射させる反射手段とを備えていることを特徴とするデシカント除湿機用空気加熱装置。
【請求項３】
前記加熱手段は、前記空気出口と前記反射手段との間に配置されており、
前記反射手段は、ステンレス材からなった板状体である上、その前記加熱手段及び前記空気出口に臨んでいる面は、鏡面となっていることを特徴とする請求項２に記載のデシカント除湿機用空気加熱装置。
【請求項４】
前記加熱手段は、Ｎｉ-Ｃｒ系の電熱合金からなっていることを特徴とする請求項２に記載のデシカント除湿機用空気加熱装置。
【請求項５】
室内の空気を吸入してから冷却し、該冷却した空気を回転中のデシカントロータの一側を通過するように送風してその含有水分を除去した後、再び室内に戻す水分除去システムと、
再生空気を加熱してから回転中のデシカントロータの他の一側を通過するように機体内に循環させ、前記他の一側に吸着した水分を蒸発させて前記デシカントロータを再生させる再生システムと、を有するデシカント除湿機において、
前記再生システムにおける空気加熱装置は、
空気の入り口と出口とを有するケースと、
該ケース内に取付けられている加熱手段と、
前記ケース内にその反射面が前記出口に面するように配置されていて前記加熱手段からの熱放射を前記出口へ反射させる反射手段とを備えていることを特徴とするデシカント除湿機。
【考案の詳細な説明】
【技術分野】
【０００１】
本考案は、空気加熱装置、及び再生システムに該空気加熱装置を備えたデシカント除湿機に関する。
【背景技術】
【０００２】
従来、室内の空気を吸入してから冷却し、該冷却した空気を回転中のデシカントロータの一側を通過するように送風して含有水分を除去した後、再び室内に戻す水分除去システムと、再生空気を加熱してから回転中のデシカントロータの他の一側を通過するように機体内に循環させ、前記他の一側に吸着した水分を蒸発させて前記デシカントロータを再生させる再生システムと、を有するデシカント除湿機があり、図１に示すのはその一例である（下記特許文献参照）。
【０００３】
図示のように、１２と番号付けされているものは、空気中の水分を吸収し、且つ、自動的に回転できる（矢印Ｃ参照）デシカントロータである。このデシカントロータ１２は、前記回転により、上側（除湿部）１２１で、水分除去システムを流れる気流（矢印Ａ参照）を横断してそれから水分を吸着し、そして、下側（再生部）１２２で、再生システムを流れる再生空気（矢印Ｂ参照）を横断してそれに前記吸着水分を吐き出すことができる。
【０００４】
前記矢印Ｂに沿ってもっと詳細にみると、この従来例における再生システムは、再生空気を駆動して機体内に循環させるファン（以下第２のファンと称す）１４と、前記再生空気を加熱する空気加熱装置１５と、前記空気加熱装置１５の加熱により温度が高くなり湿度が低くなった熱風の通過で前記デシカントロータ１２の下側１２２に含有している水分を蒸発させて吸い取り、再生過程を行う再生部１２２と、前記水分を吸い取った熱風を冷却してその水分を凝結させて排出し、残りの再生空気を前記ファン１４に戻させる熱交換手段１１とからなっている。
【０００５】
そして、図２を参照して前記空気加熱装置１５の構成をもっと詳細にみると、その入り口１５４から入ったケース１５１内の空気は、ケース１５１内に並列に配置されている２本のＮｉ-Ｃｒ系電熱合金からなった加熱手段１５２、１５２により加熱されてから出口１５５を通してデシカントロータ１２に送風される。
【特許文献１】台湾発明専利出願第９４１１０４０４号
【考案の開示】
【考案が解決しようとする課題】
【０００６】
このような従来の空気加熱装置は、前例において、加熱手段が２本示されているが、除湿と再生との両方を同時に行う前例のようなデシカント除湿機に用いられる場合、３本乃至４本が取り付けられても、加熱速度が不十分で、デシカントの再生効率が良くなく、時には、除湿機をストップし、再生過程を独立に行わなければならない場合もあり、エネルギーの過度消費乃至加熱装置の膨大化だけでなく、除湿機の使用に不便をもたらす欠点がある。
【０００７】
上記問題点を解決するため、本考案は、加熱手段の数を増加せずに、装置自体の構成で加熱効率を高めることができる空気加熱装置、及び該空気加熱装置を備えたデシカント除湿機を提供することを目的とする。
【課題を解決するための手段】
【０００８】
上記目的を達成すべく、本考案は、空気の入り口と出口とを有するケースと、前記ケース内に取付けられている加熱手段と、前記ケース内にその反射面が前記出口に面するように配置されていて前記加熱手段からの熱放射を前記出口へ反射させる反射手段と、
を備えていることを特徴とする空気加熱装置を提供する。
【０００９】
特に、空気を加熱してから、デシカントロータの水分を吸着した部分に送風することにより、その吸着水分を蒸発させて前記デシカントロータの水分を吸着した部分を再生させる、デシカント除湿機の再生システムにおける空気加熱装置であって、空気の入り口と出口とを有するケースと、該ケース内に取付けられている加熱手段と、前記ケース内にその反射面が前記出口に面するように配置されていて前記加熱手段からの熱放射を前記出口へ反射させる反射手段とを備えていることを特徴とするデシカント除湿機用空気加熱装置を提供する。
【００１０】
更に、本考案は、室内の空気を吸入してから冷却し、該冷却した空気を回転中のデシカントロータの一側を通過するように送風してその含有水分を除去した後、再び室内に戻す水分除去システムと、再生空気を加熱してから回転中のデシカントロータの他の一側を通過するように循環させ、前記他の一側に吸着した分を蒸発させて前記デシカントロータを再生させる再生システムと、を有するデシカント除湿機において、前記再生システムにおける空気加熱装置は、空気の入り口と出口とを有するケースと、該ケース内に取付けられている加熱手段と、前記ケース内にその反射面が前記出口に面するように配置されていて前記加熱手段からの熱放射を前記出口へ反射させる反射手段とを備えていることを特徴とするデシカント除湿機をも提供する。
【考案の効果】
【００１１】
上記構成により、本考案の空気加熱装置には加熱手段からの熱放射を出口へ反射させる反射手段を備えているので、空気加熱装置から発生する熱エネルギーを出口へ移動する空気に有効的に集中するので、加熱装置の加熱効率を大きく高めることができる。
【考案を実施するための最良の形態】
【００１２】
以下は図３〜図５を併せて参照しながら、本考案の好ましい実施形態について説明する。図３は本考案の空気加熱装置の空気入り口側の斜視図であり、図４は同空気加熱装置の分解図であり、図５は同空気加熱装置の空気出口側の平面図である。
【００１３】
まず、この実施形態の空気加熱装置はデシカント除湿機に応用するために設計されるので、各部分にデシカント除湿機に対応する構成が施されているが、デシカント除湿機以外に応用する場合、本考案の精神の範囲内において種々の変形や変更を加えることができる。
【００１４】
図示のように、本考案の空気加熱装置は、まず、ケース３を有する。このケース３は、図３に示すように、デシカント除湿機の円盤状のデシカントロータ（図１参照）に対応する略扇形の底壁３０と、底壁３０の周縁に設けられているフェンス部３１と、底壁３０の反対側に、フェンス部３１と繋がるように取付けられているキャップ部３２とからなっている。フェンス部３１の前記底壁３０左右の両側における一側（図４中の裏側で図５中の左側）に対応する壁部３１Ａには、空気入り口３３が設けられており、そしてキャップ部３２のには底壁３０の扇形よりやや小さい扇形の空気出口３４が大きく開けられえている。
【００１５】
ケース３内には、空気出口３４に面する一面が反射面６１となるように、底壁３０とキャップ部３２の間の略中央位置に配置されている反射板６（反射手段）と、反射板６の空気出口３４に臨んでいる一側に、蛇行に湾曲延伸するように取付けられている１本の加熱手段５と、加熱手段５及び反射手段６をケース３内に支持している支持手段４を有している。
【００１６】
図４及び図５に示すように、反射板６は空気出口３４の扇形と同じ長さ（半径）を有していると共に、該扇形より幅が狭く（中心角が小さく）形成され、底壁３０左右の両側における他側（図４中の表側で図５中の右側）に対応する壁部３１Ｂに寄るように配置され、空気入り口３３が設けられている壁部３１Ｂから距離を空けている。
【００１７】
また、反射板６には底壁３０側とキャップ部３２側との両側の空間が連通するように、底壁３０側へ隆起し、且つ空気入り口３３に向けて開口する複数（この実施形態では４つ）の隆起部６２が形成されている。
【００１８】
反射面６１として、反射板をステンレス材で形成し、且つ反射面６１を鏡面に形成することによって熱放射を反射する機能を持たせることができる。また、熱放射を反射する機能を高めるために、反射面６１に熱反射塗料を塗布することもできる。
【００１９】
支持手段４は、反射板６の両側に取付けられ反射板６を支持している左右の支持板４２、４３と前記扇形の半径と一致するように放射線状に配置されている複数枚（この実施形態では５枚）の支持枠４１とからなっている。空気入り口３３に臨んでいる一側に配置されている左の支持板４２は、図３、図４に示すように、空気入り口３３からケース３内に進入した空気の反射板６とキャップ部３２の間の空間への直接侵入を阻むと共に、底壁３０と加熱空気進入口３５を画成するように、略コ字状に形成されている。各支持枠４１は雲母材からなり、それぞれ蛇行に湾曲延伸する加熱手段５を保持及び支持する複数の凹孔４１１が形成されている。
【００２０】
加熱手段５として、Ｎｉ-Ｃｒ系の電熱合金を用いてストリング状に形成されたものを使用することができる。
【００２１】
上記構成により、外部からの空気は空気入り口３３から加熱装置内に進入し、そして、加熱空気として加熱空気進入口３５を経由して反射板６と底壁３０の間の空間に入り、それから各隆起部６２の開口を通して反射板６とキャップ部３２の間の空間へ均等的に進入して加熱され、空気出口３４から送風される。反射板６とキャップ部３２の間の空間では、加熱空気は加熱手段５から直接に接触して加熱されるだけでなく、反射面６１から反射される放射熱にも加熱されるので、例え加熱手段５が一本しかなくても、十分に高い温度に加熱されることができる。
【００２２】
図面をもっと詳しくみると、空気入り口３３から加熱装置内に進入した空気の一部は、左の支持板４２により阻まれるので、加熱されずに冷却空気として空気出口３４の前記デシカントロータの回転方向における下流側に導かれる。この冷却空気は、デシカントロータの、前記加熱空気で加熱されその含有水分が吸い取られた後、引き続き回転して水分除去システムに入る前の部分を冷却させ、それを水分除去のできる状態に用意する。
【００２３】
この実施形態の空気加熱装置が応用されるデシカント除湿機については、図１を参照して説明する。図示のように、該デシカント除湿機は第１のファン１３によって矢印Ａが示す方向で流れるように制御される外部から吸い込まれた除湿したい空気を熱交換手段１１に通過させて冷却し、該冷却した空気をデシカントロータ１２を通過させて含有水分を除去した後、再び室内に戻す水分除去システムと、第２のファン１４によって矢印Ｂが示す方向で循環するように制御される再生空気を本考案の空気加熱装置で加熱してから、デシカントロータ１２の水分を吸着した部分（再生部）に送風することにより、吸着水分を蒸発させて再生力を再生させる再生システムとを有している。なお、再生システムでデシカントロータ１２から水分を吸取った再生空気は、熱交換手段１１で冷却されて含有水分を排出してからまた第２のファン１４に戻るように循環する。
【産業上の利用可能性】
【００２４】
上記のように、本考案の空気加熱装置は、反射手段で加熱手段からの熱放射を出口へ反射させるので、発生する熱エネルギーを出口へ移動する空気に有効的に集中し、空気加熱装置の加熱効率を大きく高め、加熱手段の使用数を最小必要量に控え、消費エネルギー及び装置の製作コスト乃至占有スペースを大幅に節約することができる。
【図面の簡単な説明】
【００２５】
【図１】従来のデシカント除湿機の構成を示す分解図である。
【図２】従来のデシカント除湿機における加熱装置の構成を示す説明図である。
【図３】本考案の空気加熱装置の空気入り口側の斜視図である。
【図４】同空気加熱装置の分解図である。
【図５】同空気加熱装置の空気出口側の平面図である。
【符号の説明】
【００２６】
３  ケース
３０  底壁
３１  フェンス部
３１Ａ  壁部
３１Ｂ  壁部
３２  キャップ部
３３  空気入り口
３４  空気出口
３５  加熱空気進入口
４  支持手段
４１  支持枠
４２  左の支持板
４３  右の支持板
５  加熱手段
６  反射板
６１  反射面
６２  隆起部
【図１】
0003147981.tif 000003
【図２】
0003147981.tif 000004
【図３】
0003147981.tif 000005
【図４】
0003147981.tif 000006
【図５】
0003147981.tif 000007